(57)【要約】【課題】  大量排水があった場合の空気流入音の発生を抑えて浴室使用者に不快感を抱かせないようにする浴室の排水構造を提供する。【解決手段】  浴槽２や洗い場３から浴室１外に排水させる主排水管路５中に排水トラップ６を配設する。浴槽２や洗い場３以外の浴室１の箇所から排水させる副排水管路７を排水トラップ６の側面に連結する。副排水管路７の排水トラップ６の側面への流出口にエルボ材８を装着する。副排水管路７の排水トラップ６への流出口となるエルボ材８の開口を排水トラップ６の底面近傍で且つ下方に向けて設ける。【選択図】        図１
2005281981.tif 000002
【特許請求の範囲】
【請求項１】
浴槽や洗い場から浴室外に排水させる主排水管路中に排水トラップを配設し、浴槽や洗い場以外の浴室の箇所から排水させる副排水管路を排水トラップの側面に連結し、この副排水管路の排水トラップの側面への流出口にエルボ材を装着し、副排水管路の排水トラップへの流出口となるエルボ材の開口を排水トラップの底面近傍で且つ下方に向けて設けたことを特徴とする浴室の排水構造。
【請求項２】
上記副排水管路を、浴室の脱衣所への出入口手前に設けた排水溝から排水トラップに至る出入口排水管で構成したことを特徴とする請求項１記載の浴室の排水構造。
【請求項３】
上記エルボ材を軟質材で形成し、このエルボ材を副排水管路の排水トラップの側面の流出口に圧入したことを特徴とする請求項１記載の浴室の排水構造。
【請求項４】
上記エルボ材の角部内側に沿う部位の管壁にエルボ材の管路全長に亙る切欠を形成したことを特徴とする請求項１記載の浴室の排水構造。
【請求項５】
上記エルボ材の開口縁の一部に垂下壁を延設し、垂下壁の下端面を面接触状態で排水トラップの底面に接地したことを特徴とする請求項１記載の浴室の排水構造。
【発明の詳細な説明】
【技術分野】
【０００１】
本発明は、浴室の排水構造に関するものである。
【背景技術】
【０００２】
一般に、浴室では、図７にあるように、浴槽内の水を流す浴槽排水管１３と洗い場で使用した水を流す洗い場排水部１４とを床パンの下方に埋設した排水トラップ６で合流させ、この排水トラップ６から浴室排水管１５を建物の主排水管に連結させるといった排水構造が採用されている（たとえば、特許文献１参照）。また、近年、浴室の脱衣所への出入口には段差を無くすバリアフリー設計を採用したものが多く、この場合、洗い場で使用した水が脱衣所に流れ込まないように、浴室の出入口手前にはグレーチングなどを被着させた排水溝を設け、排水溝から出入口排水管１０を排水トラップ６に連通させ、排水溝に流入した水を排水トラップ６を介して建物の主排水管に排水可能にする排水構造を採用することが多い（たとえば、特許文献２参照）。
【０００３】
ここで、図７（ａ）は排水トラップ近傍の概略上面図を示し、図７（ｂ）には図７（ａ）のＣ−Ｃ線の概略断面図を示し、図７（ｃ）には図７（ａ）のＤ−Ｄ線の概略断面図を示している。排水トラップ６は主排水管から浴室への臭気や小動物等の侵入を断ち切るために水が溜められて封水が為されるのであり、通常、Ｍ線位置を水位とする封水が為されている。
【０００４】
しかしながら、浴槽２や洗い場３から大量の浴水が排水トラップ６を経て主排水管に排水された場合、浴室排水管１５の経路によっては急激な排水流れが生じ、その排水流れに乗じて出入口排水管１０を封水していた水も一緒に主排水管に引き込まれ、Ｍ´線位置に示すように出入口排水管１０内の封水水位が一時的に下がるといった現象が生じる。そして、この大量排水時に出入口排水管１０内の封水水位がＭ´線位置よりも低下したときには、出入口排水管１０の封水が破れて出入口排水管１０から浴室空気が大量の排水と共に主排水管に引き込まれるようになり、このときに生じる「ごぼごぼ」といった空気流入音が浴室使用者に不快感を抱かせているという問題があった。
【特許文献１】特開２０００−３０３５２６号公報
【特許文献２】特開２００４−８４３３５号公報
【発明の開示】
【発明が解決しようとする課題】
【０００５】
本発明は上記の従来の問題点に鑑みて発明したものであって、大量排水があった場合の空気流入音の発生を抑えて浴室使用者に不快感を抱かせないようにする浴室の排水構造を提供することを課題とするものである。
【課題を解決するための手段】
【０００６】
上記課題を解決するために本発明の請求項１に係る浴室の排水構造は、浴槽２や洗い場３から浴室１外に排水させる主排水管路５中に排水トラップ６を配設し、浴槽２や洗い場３以外の浴室１の箇所から排水させる副排水管路７を排水トラップ６の側面に連結し、この副排水管路７の排水トラップ６の側面への流出口にエルボ材８を装着し、副排水管路７の排水トラップ６への流出口となるエルボ材８の開口を排水トラップ６の底面近傍で且つ下方に向けて設けたことを特徴とする。
【０００７】
これによると、副排水管路７の排水トラップ６への流出口となるエルボ材８の開口が排水トラップ６の底面近傍で且つ下方に向けて設けられていることから、副排水管路７の排水トラップ６の側面への流出口よりも低い位置にまで封水水位が低下しても、エルボ材８の開口よりも封水水位が高い位置であれば副排水管路７の封水が破られることはなく、したがって、浴槽２や洗い場３から大量の排水が排水トラップ６を介して主排水管路５に流れた場合に副排水管路７から排水トラップ６内に浴室空気を流入させにくくでき、つまり浴室使用者を不快にさせる空気流入音の発生を抑えることができるのである。
【０００８】
また、請求項２に係る浴室の排水構造は、請求項１において、上記副排水管路７を、浴室１の脱衣所への出入口４手前に設けた排水溝９から排水トラップ６に至る出入口排水管１０で構成したことを特徴とする。これによると、一般に管径が比較的小さく排水トラップ６への浴室空気の流入が生じ易い出入口排水管１０において、空気流入音の発生を抑制することができるのである。
【０００９】
また、請求項３に係る浴室の排水構造は、請求項１において、上記エルボ材８を軟質材で形成し、このエルボ材８を副排水管路７の排水トラップ６の側面の流出口に圧入したことを特徴とする。これによると、副排水管路７の流出口にエルボ材８を容易に装着することができる。
【００１０】
また、請求項４に係る浴室の排水構造は、請求項１において、上記エルボ材８の角部内側に沿う部位の管壁にエルボ材８の管路全長に亙る切欠１１を形成したことを特徴とする。これによると、副排水管路７の流出口にエルボ材８を内側から嵌合させるように付設しても、エルボ材８と副排水管路７との下端部分では段差が生じることがなく、上記段差が引き起こす髪の毛やごみなどの引っ掛かりを無くすることができる。
【００１１】
また、請求項５に係る浴室の排水構造は、請求項１において、上記エルボ材８の開口縁の一部に垂下壁１２を延設し、垂下壁１２の下端面を面接触状態で排水トラップ６の底面に接地したことを特徴とする。これによると、副排水管路７の排水トラップ６の側面の開口部に付設したエルボ材８の垂下壁１２を面接触状態で排水トラップ６の底面に接地させたことで、その場でエルボ材８が回転してしまうことを防止できる。
【発明の効果】
【００１２】
本発明は、浴槽や洗い場から大量の排水が排水トラップを介して主排水管路に急激に流れた場合に副排水管路を封水する水が主排水管路に引き込まれても、副排水管路の封水水位がエルボ材の開口よりも高い位置であれば副排水管路の封水を維持できて、副排水管路から排水トラップ内に浴室空気を流入させず、浴室使用者を不快にさせる空気流入音の発生を抑制できるという利点を有している。
【発明を実施するための最良の形態】
【００１３】
以下、本発明を添付図面に示す実施形態に基いて説明する。
【００１４】
図１〜５には本発明の実施の形態の例を示す。洗い場３と浴槽２を備えた浴室１には、図２のように、浴槽２内の水を流す浴槽排水管１３と洗い場３で使用した水を流す洗い場排水部１４とを床パンの下方に埋設した排水トラップ６で合流させ、排水トラップ６から浴室排水管１５を建物の主排水管（図示せず）に連結させてなる主排水管路５が設けられている。また、本例の浴室１における隣接する脱衣所への出入口４には段差を無くしたバリアフリー構造が採用されており、洗い場３で使用した水が脱衣所に流れ込まないように、浴室１の出入口４手前には排水溝９が設けられ、副排水管路７としての出入口排水管１０がこの排水溝９から排水トラップ６に連通されている。
【００１５】
詳しくは、浴室１の床パンは洗い場床パンとこれより低くした浴槽設置床パンとで構成されている。図３のように、洗い場床パンの浴槽側の端部に洗い場側排水孔１６が穿孔され、この洗い場側排水孔１６の孔縁にリング状の目皿フランジ１７がシールを伴って挿入固定され、この目皿フランジ１７の内縁に無底筒状の内トラップ筒１８が垂下保持されて洗い場排水部１４が構成されている。なお、目皿フランジ１７の内縁には洗い場側排水孔１６を覆うように目皿１９、ヘアキャッチャー２０が取り付けられている。また、目皿フランジ１７の下端外縁には上方が開口した容器状のトラップ部材２１が下方からシールを伴って取付けられている。このトラップ部材２１は、排水トラップ６を形成する部材であり、詳しくは、その下部域は上方に開口する有底筒状の外トラップ筒２２で構成されると共にその上部域は外トラップ筒２２の上端近傍を外側から包むような外包筒２３で構成された部材である。このトラップ部材２１を目皿フランジ１７に取り付けたときには、外トラップ筒２２の内部に内トラップ筒１８が挿入配置される。つまり、洗い場排水部１４の真下に排水トラップ６が配設され、洗い場排水部１４からの排水が内トラップ筒１８を介して排水トラップ６に流下されるようになっている。
【００１６】
また、浴槽設置床パンには浴槽側排水孔２４が穿孔され、この浴槽側排水孔２４にはフランジ材２５がシールを伴って挿入固定されている。このフランジ材２５には浴槽２の底面に穿孔された浴槽排水孔２６に一端を接続した排水ホース（図示せず）の他端を浴槽側排水孔２４内に挿入保持するホース保持部材２７が取り付けられている。また、フランジ材２５には浴槽側排水孔２４と排水トラップ６とを連通する浴槽排水管１３が下方からシールを伴って取付けられている。この浴槽排水管１３は排水トラップ６の外トラップ筒２２の側壁にその流出口１３ａを開口させている。
【００１７】
排水トラップ６には上記浴槽排水管１３の流出口１３ａの他に、浴室排水管１５の流入口１５ａ、出入口排水管１０の流出口１０ａが連通されているが、それぞれ排水トラップ６の側面に開口するように設けられている。浴室排水管１５の流入口１５ａは、浴槽排水管１３の流出口１３ａと相対する位置で、外トラップ筒２２の上端周辺の外包筒２３の側壁に開口されている。また、出入口排水管１０の流出口１０ａは、浴槽排水管１３の流出口１３ａと略９０°水平に位相をずらした位置の外トラップ筒２２の側壁に開口されている。ここで、出入口排水管１０は、水平直線状の上辺の両端から下方に凸の円弧状の下辺を繋げたようなかまぼこ形状の管断面を有し、想定流量の違いから浴室排水管１５及び浴槽排水管１３に比べて比較的断面積の小さい管で構成されている。そして、この出入口排水管１０は、排水溝９の溝底に開口した流入口１０ｂ（図７参照）から略垂直に落ち込み、その後、徐々に排水トラップ６に向けて下り傾斜をして外トラップ筒２２の側面にその流出口１０ａを開口させている。
【００１８】
このように、排水トラップ６では、内トラップ筒１８が構成する洗い場排水部１４の流出口１４ａ、浴槽排水管１３の流出口１３ａ及び出入口排水管１０の流出口１０ａがいずれも外トラップ筒２２に開口しており、つまり浴室１の各所からの排水は外トラップ筒２２内で合流し、外トラップ筒２２の上端を乗り越えるように外包筒２３に溢れた排水が外包筒２３に流入口１５ａを開口させた浴室排水管１５を介して主排水管に排水されるようになっている。なお、排水トラップ６には主排水管から浴室１への臭気や小動物等の侵入を断ち切るために水が溜めて封水を行うといった機能があるが、この封水は外トラップ筒２２の上端にまで溜まった水によって行われている。つまり、排水トラップ６では、浴室１の各所からの排水は一旦外トラップ筒２２内で滞留してその後外トラップ筒２２を溢れた水が浴室排水管１５を介して主排水管に排水されるようになっているので、常に外トラップ筒２２にはその上端にまで排水が溜まった状態にあり、この外トラップ筒２２内に滞留している排水が内トラップ筒１８、浴槽排水管１３、出入口排水管１０に入り込んで封水を行っているのである。
【００１９】
ところで、本例の排水トラップ６でも、背景技術の項で述べたように、洗い場３や浴槽２からの大量の排水が主排水管路５を介して主排水管に急激に排水されるようになると、その排水流れに乗じて比較的管径が小さい副排水管路７である出入口排水管１０には主排水管への吸引作用が強くかかり、出入口排水管１０を封水していた水も一緒に主排水管に引き込まれるといった現象が生じる。そして、出入口排水管１０の封水水位が出入口排水管１０の流出口１０ａの上端高さよりも低下して出入口排水管１０の封水が破れるようなことがあれば、出入口排水管１０から浴室空気が大量の排水と共に主排水管に引き込まれるのであって、浴室使用者に不快感を抱かせる空気流入音が発生してしまう。しかして本例では、下記に詳述するように、エルボ材８を出入口排水管１０の流出口１０ａに装着させて上記空気流入音の発生の抑制を図っている。
【００２０】
エルボ材８は、図４のように、弾性変形可能な軟質樹脂材料の成形品であって、水平管部２８の一端から垂下管部２９を略直角に垂下連通してなる側方開口８ａと下方開口８ｂとを有したＬ字屈曲状の管材である。水平管部２８はその断面形状が出入口排水管１０の管断面と同じ逆かまぼこ状に形成されていて出入口排水管１０の流出口１０ａに側方開口８ａを連通させた状態で嵌挿可能になっている。垂下管部２９は下方開口８ｂを有した略矩形の函形状に形成されている。なお、本例の垂下管部２９はその下端が水平管部２８の下端と同じ高さ位置にあるように形成されている。また詳しくは、垂下管部２９の前面壁２９ａは内トラップ筒１８の外周面に沿うような円弧形状に形成され、垂下管部２９の後面壁２９ｂは外トラップ筒２２の内周面に沿うような円弧形状に形成されており、垂下管部２９の前面下端には垂下管部２９の前面壁２９ａを切除した切除部３０が形成されている。また、水平管部２８の下端部分には水平管部２８の管長さ方向に亙って垂下管部２９の下方開口８ｂに臨む切欠１１が形成されている。
【００２１】
このエルボ材８は、図５（ａ）のように水平管部２８を出入口排水管１０の流出口１０ａに挿し込むようにして装着する。このとき、エルボ材８は軟質材であって特に切欠１１のある水平管部２８では弾性変形がされ易く、したがって、水平管部２８は出入口排水管１０の流出口１０ａにスムーズに挿入することができると共に、装着時には水平管部２８は出入口排水管１０の流出口１０ａの孔内面に弾接させて強固に装着することができる。ここで、本例の水平管部２８及び出入口排水管１０の流出口１０ａの断面形状は非円形のかまぼこ型形状に施されているので、装着したエルボ材８がその場で回転してしまうことも防止されているのである。また、上記のように水平管部２８を出入口排水管１０内に嵌挿させて出入口排水管１０の流出口１０ａに装着したエルボ材８にあっては、垂下管部２９は外トラップ筒２２の内周面と内トラップ筒１８の外周面とで挟持されるのであり、エルボ材８の出入口排水管１０からの抜け止めが施されているのである。
【００２２】
エルボ材８を出入口排水管１０の流出口１０ａに装着した状態では、図５や図１のように、エルボ材８の垂下管部２９の切除部３０を含めた下方開口８ｂが排水トラップ６の底面近傍で下方に向けて臨むようにされている。このようにエルボ材８を備えたことで上記エルボ材８の垂下管部２９の下方開口８ｂが新たに出入口排水管１０の排水トラップ６への流出口となる。これによると、外トラップ筒２２の側面に開口せる当初の出入口排水管１０の流出口１０ａの上端高さ位置よりも低い位置（Ｍ´線位置）にまで封水水位が低下しても、この封水水位がエルボ材８の下方開口８ｂよりも高い位置（Ｍ´´線位置）であれば、出入口排水管１０の封水は破られないようになっている。つまり、エルボ材８を付設したことで、出入口排水管１０の封水水位の低下に対する出入口排水管１０の封水の耐久強度が向上し、出入口排水管１０の封水が破られにくくなっている。したがって、浴槽２や洗い場３から大量の排水が排水トラップ６を介して主排水管路５に急激に流れた場合に、出入口排水管１０に封水を施している水が一緒に主排水管に引き込まれ、出入口排水管１０の封水水位が低下するような現象が生じても、エルボ材８の下方開口８ｂまで封水水位が低下しない限り出入口排水管１０を封水し続けることができ、つまり、出入口排水管１０から排水トラップ６内に浴室空気が流入されにくく、浴室使用者を不快にさせる空気流入音の発生が有効に抑制されているのである。
【００２３】
更に言うと、エルボ材８の水平管部２８の下端には水平管部２８の全長に亙って垂下管部２９の下方開口８ｂに臨む切欠１１が形成されているから、この切欠１１を介して出入口排水管１０がエルボ材８の下方開口８ｂにまで露出し、したがって出入口排水管１０とエルボ材８との連結部分の下端部では段差のない面一状態にされており、上記段差が引き起こす髪の毛やごみなどの引っ掛かりを無くすることができて出入口排水管１０やエルボ材８の詰まりの防止が図られているのである。
【００２４】
また、図６には本発明の実施の形態の他例を示す。本例は先の例と比べてエルボ材８の構成が異なるだけの例であるから、先の例と同様部位には同符合を付して説明は省き、異なる部位につき説明していく。本例のエルボ材８は図６（ａ）のように垂下管部２９の側面壁２９ｃ及び後面壁２９ｂを下方に延設して垂下壁１２を形成しており、このエルボ材８を出入口排水管１０の流出口１０ａに装着した際には図６（ｂ）のように垂下壁１２の下端を排水トラップ６の外トラップ筒２２の底面に面接触状態で接地させている。これにより、エルボ材８がその場で回転しまうことが有効に防止されている。これは、エルボ材８の水平管部２８及び出入口排水管１０の流出口１０ａが円形断面形状などに施され、装着状態にあるエルボ材８がその場で回転し易い場合などに特に有効である。なお、先例で水平管部２８に形成されていた切欠１１は本例では水平管部２８から連続して垂下管部２９の下端にまで穿設されており、つまりエルボ材８の角部内側に沿う部位の管壁にエルボ材８の管路全長に亙るように切欠１１が形成されており、髪の毛等の引っ掛かりを有効に防止しているのである。
【図面の簡単な説明】
【００２５】
【図１】本発明の実施の形態の例の排水トラップの概略側断面図（図２のＢ−Ｂ線断面図）である。
【図２】同上の浴室の一部透視した平面図である。
【図３】図２のＡ−Ａ線断面図である。
【図４】（ａ）（ｂ）（ｃ）は同上のエルボ材を多方向から見た斜視図である。
【図５】（ａ）はエルボ材の装着を説明する斜視図であり、（ｂ）はエルボ材を装着した状態の斜視図である。
【図６】本発明の実施の形態の他例を示すものであって、（ａ）はエルボ材の斜視図であり、（ｂ）は排水トラップの概略側断面図である。
【図７】背景技術を説明するものであり、（ａ）は排水トラップ付近の上面図であり、（ｂ）は（ａ）のＣ−Ｃ線概略断面図であり、（ｃ）は（ａ）のＤ−Ｄ線概略断面図である。
【符号の説明】
【００２６】
１  浴室
２  浴槽
３  洗い場
４  出入口
５  主排水管路
６  排水トラップ
７  副排水管路
８  エルボ材
１０  出入口排水管
１１  切欠
１２  垂下壁
１３  浴槽排水管
１４  洗い場排水部
１５  浴室排水管
【図１】
2005281981.tif 000003
【図２】
2005281981.tif 000004
【図３】
2005281981.tif 000005
【図４】
2005281981.tif 000006
【図５】
2005281981.tif 000007
【図６】
2005281981.tif 000008
【図７】
2005281981.tif 000009